【事件の表示】
　平成　８年特許願第１９８１８２号「プログラム実行用メモリー内蔵のセキュリティチップ」拒絶査定不服審判事件〔平成１０年　２月１３日出願公開、特開平１０−　４００９５〕について、次のとおり審決する。
【結　論】
　本件審判の請求は、成り立たない。
【理　由】
１．手続の経緯、本願発明
　本願は、平成８年７月２６日の出願であって、その請求項１に係る発明は、平成１４年９月９日付け手続補正書によって補正された明細書及び図面の記載からみて、本願の特許請求の範囲の請求項１に記載された次のとおりのものである。
   
「　クロック発生回路と接続された中央処理装置（ＣＰＵ）と、
　該ＣＰＵとバスを介して接続されたワーク用内蔵ＲＡＭと、
　検定されたユーザープログラム（ＵＰ）を暗号化した状態で格納するための外部メモリーと、
　該外部メモリーの暗号化ユーザープログラム（ＵＰ'）を復号化するチップ内蔵のプログラム復号化回路と、
　該プログラム復号化回路で復号化されたユーザープログラムを遊技機制御のために格納するプログラム実行用メモリーからなり、
　前記中央処理装置が、電源投入時に前記外部メモリーに格納された暗号化ユーザープログラム（ＵＰ’）をチップ内蔵のプログラム復号化回路を介して復号化を行いこれをプログラム実行用メモリーに格納するように構成され、格納後にプログラム実行用メモリーに格納された、復号化されたユーザープログラム（ＵＰ）に従い制御するように構成されていることを特徴とするプログラム実行用メモリー内蔵のセキュリティチップ。　」
　
２．引用例
　これに対し、原査定の拒絶の理由で引用された特開平４−３１９３７９号公報（以下、引用例１という。）には、以下の事項が図面と共に記載されている。
　
 （ア）「【特許請求の範囲】
　　【請求項１】　遊技媒体の投入に基づいて、遊技が開始され、遊技部内の遊技経過情報に基づいて、予め設定された遊技制御プログラムに従って遊技を進行させる遊技制御手段と、
　遊技部内の遊技結果に基づいて、価値媒体を遊技者に付与する価値媒体付与手段とを備え、
　上記遊技制御手段は、遊技制御プログラムが固定的に書き込まれたＲＯＭと、
このＲＯＭに書き込まれた遊技制御プログラムを読み出し、実行する演算制御手段を中心としたワンチップのマイクロコンピュータとから構成された遊技装置において、
　上記ＲＯＭには、遊技制御プログラムの内容が暗号化されて書き込まれるとともに、
　前記マイクロコンピュータには、ＲＯＭに書き込まれた暗号化後の遊技制御プログラムを復号化する暗号復号化手段が内臓されたことを特徴とする遊技装置。
（中略）
　　【請求項３】　マイクロコンピュータには、ＲＯＭから読み込まれ、暗号復号化手段により復号化された遊技制御プログラムを記憶させる復号化プログラム記憶手段が内臓されたことを特徴とする請求項１又は請求項２記載の遊技装置。
　　【請求項４】　マイクロコンピュータには、復号化プログラム記憶手段に記憶された遊技制御プログラムのバックアップ用電源が接続されたことを特徴とする請求項３項記載の遊技装置。」（特許請求の範囲）
　
（イ）「【０００９】
　請求項３記載の遊技装置は、ＲＯＭに書き込まれた暗号化データを、暗号復号化手段で復号化させ、復号化後の遊技制御プログラムをマイクロコンピュータの内部メモリに一旦、全て記憶させておくことで、ＲＯＭへのアクセス時間を短縮化させ、遊技装置の動作速度の向上を図ることを目的とする。
　すなわち、ＲＯＭに書き込まれた暗号化データを復号化しながら遊技制御プログラムを実行すると、その実行速度が低下するおそれがある。そこで、マイクロコンピュータの内部の復号化プログラム記憶手段に復号化後の遊技制御プログラムを一旦、全て記憶させておき、以後は復号化プログラム記憶手段に直接、アクセスさせることで、プログラムの実行速度の低下を防止している。
【００１０】
　請求項４記載の遊技装置は、復号化プログラム記憶手段に記憶された遊技制御プログラムの内容を、バッテリによりバックアップさせることで、復号化プログラム記憶手段に記憶された遊技制御プログラムの消去を防止し、電源投入時から復号化プログラム記憶手段に遊技制御プログラムを読み込ませるまでの時間を短縮化できるようにしたことを目的とする。」（【0009】【0010】段落）
　
（ウ）「【００３８】
　上記第２制御基板61には、図１３に示すように、遊技制御プログラムが固定的に書き込まれたＲＯＭ68と、このＲＯＭ68に書き込まれた遊技制御プログラムを読み出し、実行するワンチップのマイクロコンピュータ69と、このマイクロコンピュータ69へクロックパルスを供給する水晶発振器70等よりなる論理領域71と、駆動制御および入力信号変換等が可能なように電力増幅器72a,72b等より構成した変換領域73と、各電気的遊技機器と接続するためのケーブルの端部に設けられたコネクタ（図示せず）と係脱可能なコネクタピン74・・・・を整列配置してなる接続領域75等を設け、各種電気部品は裏面のプリント配線によって機能的に接続してある。
【００３９】
　つぎに、遊技制御手段としての第２電気的制御装置42の回路構成について、図１４を用いて説明すると、第２電気制御装置42は、ワンチップのマイクロコンピュータからなるマイクロコンピュータ69を中心に構成され、マイクロコンピュータ69には、遊技制御プログラムが暗号化されて固定的に書き込まれたＲＯＭ68が接続されている。尚、ＲＯＭ68は、図１に示すように、マイクロコンピュータ69のアドレスバス接続端子69a及びデータバス接続端子69bに接続される。」（【0038】【0039】段落）
　
（エ）「【００７１】
　つぎに、図１を用いて、マイクロコンピュータ69の内部の回路構成について説明すると、マイクロコンピュータ69は、ＲＯＭ68に書き込まれた遊技制御プログラムを読み出し、実行する演算制御手段（ＣＰＵ）84を中心として構成されている。
　上記演算制御手段84のアドレスバス及びデータバスには、図１に示すように、アドレスバス接続端子69a及びデータバス接続端子69bを介して、ＲＯＭ68が接続されている。
【００７２】
　そして、上記アドレスバス及びデータバスの途中には、図１に示すように、ＲＯＭ68に書き込まれた暗号化後の遊技制御プログラムを復号化する暗号復号化手段85が設けられている。
　上記暗号復号化手段85は、図１に示すように、大別すると、先に説明した第１から第５暗号化パターンにそれぞれ対応した複数の復号化パターンのうち、データに関連した複数のデータ復号化パターンが記憶されたデータ復号化パターン記憶手段85aと、上記復号化パターンのうち、アドレスに関連した複数のアドレス復元パターンが記憶されたアドレス復元パターン記憶手段85bと、このアドレス復元パターン記憶手段85bに記憶されたアドレス復元パターンに従って、ＲＯＭ68にアドレスを指示するアドレス復元手段85cと、データ復号化パターン記憶手段85aに記憶されたデータ復号化パターンに従って、ＲＯＭ68から読み込まれた暗号化データを、元データに復号化するデータ復号化手段85dとから構成されている。
【００７３】
　上記データ復号化パターン記憶手段85aとアドレス復元パターン記憶手段85bとには、先に説明した第１から第５暗号化パターンにそれぞれ対応した複数の復号化パターンが、データとアドレスとの別に分けて記憶されている。
【００７４】
　前記暗号復号化手段85のデータバスには、図１に示すように、入力制御手段86を介して復号コード入力端子69iが設けれ、その復号コード入力端子69iには、復号コード入力手段78が接続される（図１４）。
　前記復号コード入力手段78からは、ＲＯＭ68に書き込まれた暗号化後の遊技制御プログラムの暗号化パターンに対応した復号化パターンがコード化された状態で、暗号復号化手段85に入力される。暗号復号化手段85は、復号コード入力手段78から復号コードが入力されると、データに関しては、データ復号化パターン記憶手段85aに記憶されたデータ復号化パターンに従って、データ復号化手段85dにより、ＲＯＭ68から読み込んだ暗号化データの復号化を行い、復号化後の元データを演算制御手段84に送る。演算制御手段84では、データ復号化手段85dから送られた正規の遊技制御プログラムが実行される。」（【0071】〜【0074】段落）
　
（オ）「【００８４】
　図２１は、マイクロコンピュータ69の他の実施例を示す概略ブロック図であり、本実施例の特徴は、マイクロコンピュータ69の内部に、ＲＯＭ68から読み込まれ、暗号復号化手段85で復号化された遊技制御プログラムを記憶させる復号化プログラム記憶手段100を内蔵させた点にある。
　すなわち、マイクロコンピュータ69の内部には、図２１に示すように、ＲＯＭ68から読み込まれた遊技制御プログラムを一時的に記憶させるプログラム一時記憶手段101と、このプログラム一時記憶手段101に記憶された遊技制御プログラムに基づいて、暗号復号化手段85で復号化された遊技制御プログラムを記憶させる復号化プログラム記憶手段100とが内蔵され、又、復号化プログラム記憶手段100の電源端子は、バックアップ用電源102に外部的に接続されている。
【００８５】
　したがって、本実施例によれば、ＲＯＭ68から読み込まれた遊技制御プログラムは、初期電源投入時に、プログラム一時記憶手段101に一旦に記憶され、このプログラム一時記憶手段101に記憶された遊技制御プログラムは、暗号復号化手段85により復号化させる。暗号復号化手段85により復号化させた遊技制御プログラムは、復号化プログラム記憶手段100に全て記憶される。復号化させた遊技制御プログラムが復号化プログラム記憶手段100に記憶された後は、ＲＯＭ68へのアクセスは行われず、演算制御手段84は、復号化プログラム記憶手段100から復号化後の技制御プログラムを逐次読み込みながら、遊技制御プログラムが実行される。
【００８６】
　又、マイクロコンピュータ69の主電源を落とした後は、復号化プログラム記憶手段100に記憶された復号化後の遊技制御プログラムの内容は、バックアップ用電源102により保持される。このため、マイクロコンピュータ69の主電源を切断しても、復号化プログラム記憶手段100に記憶された復号化後の遊技制御プログラムの内容が消去されず、主電源の投入の度に、ＲＯＭ68からの遊技制御プログラムの読み込みが必要となくなる。」（【0084】〜【0086】段落）
　
　以上より、引用例１には以下の発明が記載されている。
　
   クロックパルスを供給する水晶発振器が接続されたワンチップマイクロコンピュータ69と、
該マイクロコンピュータ内の演算制御手段（ＣＰＵ）と、
該ＣＰＵとバスを介して接続された変動データ記憶手段（ＲＡＭ）と、
遊技制御プログラムを暗号化した状態で格納するためのＲＯＭ68と、
該ＲＯＭの暗号化後の遊技制御プログラムを復号化するワンチップマイクロコンピュータに内蔵された暗号復号化手段85と、
該暗号復号化手段により復号化された遊技制御プログラムを記憶させるバックアップ用電源に接続された復号化プログラム記憶手段100からなり、
前記演算制御手段が、初期電源投入時に前記ＲＯＭに格納された暗号化後の遊技制御プログラムをワンチップマイクロコンピュータに内蔵された暗号復号化手段によって復号化され、復号化プログラム記憶手段100に格納するように構成され、格納後には復号化プログラム記憶手段から復号後の遊技制御プログラムを読み出して実行するように構成されていることを特徴とする復号化プログラム記憶手段内蔵のワンチップマイクロコンピュータ
　
 ３．対比・判断
 
 本願の請求項１に係る発明（以下、前者という）と引用例１に記載された発明（以下、後者という）とを比較すると、
　後者の「演算処理手段（ＣＰＵ）」「変動データ記憶手段（ＲＡＭ）」「遊技制御プログラム」「ＲＯＭ68」「暗号化後の遊技制御プログラム」「暗号復号化手段85」「復号化プログラム記憶手段100」は、それぞれ前者の「中央処理装置（ＣＰＵ）」「ワーク用内蔵ＲＡＭ」「ユーザープログラム（ＵＰ）」「外部メモリー」「暗号化ユーザープログラム（ＵＰ’）」「プログラム復号化回路」「プログラム実行用メモリー」に相当する。
　後者では、ワンチップマイクロコンピュータ69に供給されたクロックパルスはワンチップマイクロコンピュータ内の演算処理手段（ＣＰＵ）に供給されることになるから、前者における「クロック発生回路と接続された中央処理装置（ＣＰＵ）」という構成を有することになる。
　また、後者のものは改ざん防止を目的としたワンチップマイクロコンピュータであるから、前者の「チップ」又は「セキュリティチップ」と同等のものである。
　また、後者が電源投入時に行う制御、即ち、「前記ＲＯＭに格納された暗号化後の遊技制御プログラムをワンチップマイクロコンピュータに内蔵された暗号復号化手段によって復号化され、復号化プログラム記憶手段100に格納するように構成され、格納後には復号化プログラム記憶手段から復号後の遊技制御プログラムを読み出して実行する」ことと、前者が電源投入時に行う制御、即ち、「前記外部メモリーに格納された暗号化ユーザープログラム（ＵＰ’）をチップ内蔵のプログラム復号化回路を介して復号化を行いこれをプログラム実行用メモリーに格納するように構成され、格納後にプログラム実行用メモリーに格納された、復号化されたユーザープログラム（ＵＰ）に従い制御する」ことは実質的に同等のことである。
　
　してみると、両者は次の点で一致している。
　
　クロック発生回路と接続された中央処理装置（ＣＰＵ）と、
　該ＣＰＵとバスを介して接続されたワーク用内蔵ＲＡＭと、
　ユーザープログラム（ＵＰ）を暗号化した状態で格納するための外部メモリーと、
　該外部メモリーの暗号化ユーザープログラム（ＵＰ'）を復号化するチップ内蔵のプログラム復号化回路と、
　該プログラム復号化回路で復号化されたユーザープログラムを遊技機制御のために格納するプログラム実行用メモリーからなり、
　前記中央処理装置が、電源投入時に前記外部メモリーに格納された暗号化ユーザープログラム（ＵＰ’）をチップ内蔵のプログラム復号化回路を介して復号化を行いこれをプログラム実行用メモリーに格納するように構成され、格納後にプログラム実行用メモリーに格納された、復号化されたユーザープログラム（ＵＰ）に従い制御するように構成されていることを特徴とするプログラム実行用メモリー内蔵のセキュリティチップ
　
　一方、両者は以下の点で相違している。
　
相違点
（１）前者のユーザープログラム（ＵＰ）が検定されたものであるのに対し、後者のものが検定されたものとどうか定かでない点
　
（２）中央処理装置が電源投入時に行う制御、即ち、「前記外部メモリーに格納された暗号化ユーザープログラム（ＵＰ’）をチップ内蔵のプログラム復号化回路を介して復号化を行いこれをプログラム実行用メモリーに格納するように構成され、格納後にプログラム実行用メモリーに格納された、復号化されたユーザープログラム（ＵＰ）に従い制御」が、後者では、初期電源投入時であるのに対し、前者では電源投入時毎である点。
　
４．相違点についての検討
相違点（１）について
　本願明細書の従来技術の説明で引用されている特願平０３−１１８１２０号の明細書には、「パチンコ機械等遊技機は、風俗営業法の規則に基づく国家公安委員会の規則に従い遊技機の認定及び型式の検定を受けなければ販売することができない製品であり、マイクロプロセッサーを使用したものも保安電子通信技術協会の型式試験に合格しなければならず・・・・」と記載されている。してみると、遊技機を制御するプログラムが検定されたものでなければならないことは、遊技機業界の常識というべきであるから、相違点１を格別の相違ということはできない。
　
相違点（２）について
　後者のものにおける実施例では、復号化プログラム記憶手段にはバックアップ用電源が供給され、最初の電源投入時に復号化された遊技制御プログラムを格納しておくことにより、それ以降電源を切断しても２度目以降の電源投入時には暗号化された遊技制御プログラムの復号化処理と復号化プログラム記憶手段への格納処理を省くようにしている。
　ところで、後者が記載された明細書では、請求項１には、遊技制御プログラムは暗号化した形で供給され、実行時に復号化するものが記載され、請求項３では、請求項１を限定する形で、復号化した遊技制御プログラムを復号化プログラム記憶手段に格納しておくものが記載され、請求項４では更に請求項３を限定する形で復号化プログラム記憶手段にバックアップ用電源を接続するものが記載されている。
　そして、請求項４のようにバックアップ用電源を設ける目的は、以前に格納した遊技制御プログラムの消去を防止し、電源投入時から復号化プログラム記憶手段に遊技制御プログラムを読み込ませるまでの時間を短縮することであると説明されている。このことは、逆に言えば、バックアップ用電源を持たない請求項３に記載されたものは、電源投入時毎に遊技制御プログラムの復号化、再格納が必要ということになる。
　このように、引用例１には、実施例として記載されているようなバックアップ用電源をもつものの他に、バックアップ用電源をもたず電源投入時毎に遊技制御プログラムの復号化、再格納が必要なものも記載されているに等しいということができる。
　従って、相違点（２）もまた格別の相違ということはできない。
　
５．むすび
　したがって、請求項１に係る発明は、引用例１に記載された発明及び当該分野の技術常識に基いて当業者が容易に発明をすることができたものであるので、特許法第２９条第２項の規定により特許を受けることができない。
　よって、結論のとおり審決する。